(57)【要約】【課題】従来の二酸化塩素製品の欠点である使用期間を長くして、その二酸化塩素による強力な殺菌力を利用することができるようにした除菌装置用薬品容器、除菌装置及び歯ブラシ除菌装置を提供する【解決手段】この歯ブラシ除菌装置１は、水Ｗを封入可能なスプレー本体２のボトルと、該ボトルの所定位置に着脱自在に取り付けられ、錠剤又は紛体状の二酸化塩素を封入可能な除菌装置用薬品容器３とを備え、前記除菌装置用薬品容器３は、前記ボトルに取り付けられたときに、そのボトル内に位置する先端部と、そのボトル外に位置する基端部との中間部に二酸化塩素を封入可能なシリンダ３１と、前記シリンダ３１の先端部に着脱自在に取り付けられるキャップ３４と、前記シリンダ３１の基端部から挿入され、該挿入動作により前記キャップ３４を二酸化塩素とともに前記ボトル内に押し出し可能なピストン３３とを備えたものである。【選択図】図１
2014100202.tif 000002
【特許請求の範囲】
【請求項１】
水を封入可能な除菌装置本体の所定位置に取り付けられ、錠剤又は紛体状の二酸化塩素を封入可能な除菌装置用薬品容器であって、
前記除菌装置本体に取り付けられたときに該除菌装置本体内に位置する先端部と該除菌装置本体外に位置する基端部との中間部に二酸化塩素を封入可能なシリンダと、前記シリンダの先端部に着脱自在に取り付けられるキャップと、前記シリンダの基端部から挿入され、該挿入動作により前記キャップを二酸化塩素とともに前記除菌装置本体内に押し出し可能なピストンとを備えたことを特徴とする除菌装置用薬品容器。
【請求項２】
前記キャップが前記除菌装置本体内に押し出された状態であっても、該キャップの少なくとも一部を前記シリンダに連結したままとする連結部を備えたことを特徴とする請求項１記載の除菌装置用薬品容器。
【請求項３】
前記ピストンが前記シリンダの基端部から挿入される動作を規制するストッパを備えたことを特徴とする請求項１又は２記載の除菌装置用薬品容器。
【請求項４】
前記請求項１〜３のいずれか１項に記載の除菌装置本体として、前記二酸化塩素の水溶液を噴霧するスプレーノズルを備えたスプレー本体で構成し、前記除菌装置用薬品容器を該スプレー本体の上面に着脱自在に取り付けたことを特徴とする除菌装置。
【請求項５】
前記請求項４記載のスプレー本体に歯ブラシを立てかける歯ブラシ立てを備え、この歯ブラシ立てに立てかけた歯ブラシのブラシ部分に、前記スプレーノズルから噴霧された二酸化塩素の水溶液がかかるように構成したことを特徴とするスプレー本体を用いた歯ブラシ除菌装置。
【請求項６】
前記歯ブラシ立てが前記スプレー本体に収脱自在となるように、前記歯ブラシ立ての前記スプレー本体に対する取り付け角度を可変としたことを特徴とする請求項５記載のスプレー本体を用いた歯ブラシ除菌装置。
【発明の詳細な説明】
【技術分野】
【０００１】
本発明は、除菌装置用薬品容器、除菌装置及び歯ブラシ除菌装置に関するものであって、特に二酸化塩素を水に溶かして用いるものに好適である。
【背景技術】
【０００２】
近年、介護施設などにおいて、被介護者が使用した歯ブラシの除菌の必要性が強く認識されており、その除菌手段が各種提案されている。例えば特許文献１では、塩素を含む又は電解補助剤を加えた水を電気分解する電解槽を具えており、前記電解槽で生成された電解水を歯ブラシのブラシ部分にスプレーすることにより除菌を行う除菌装置が開示されている。
【０００３】
この除菌装置によれば、除菌液として使用する電解水を生成して、歯ブラシの除菌を行うことができる。また、このように生成した電解液は、食べカスや汚れの分解機能を有しているので、歯ブラシの除菌に加えて、その洗浄も同時に行うことができるなどとの記載がなされている。
【発明の概要】
【発明が解決しようとする課題】
【０００４】
ところが、この特許文献１では、電解水だけを使用しているので、強力な除菌効果を得るとまではいかないものと推察される。その一方、強力な殺菌効果を得るには、わが国ではプール水の殺菌剤として使用されている次亜塩素酸などを使用されているが、この次亜塩素酸は発がん性物質であるトリハロメタンを副生成し、また耐性菌を生むことがあるため、歯ブラシの除菌に使用することはできない。
【０００５】
この点、二酸化塩素のうちの特に米国ＢＡＳＦ社製のセルトーレＧ（登録商標）は、活性酸素（発生期の酸素）で菌の細胞膜を破壊することにより塩素よりも数倍も強力な殺菌力があり、トリハロメタンや耐性菌の問題がなく、殺菌スペクトルが広く、多種多様菌に効果があり、多目的に使用でき、しかも通常使用濃度で安全とされている。そこで、二酸化塩素を歯ブラシの除菌に使用したいのであるが、この二酸化塩素は空気中で吸湿して使用期間が非常に短くなることから、その実用化にブレーキがかかっていた。
【０００６】
また、電解水を利用する場合とは異なり、二酸化塩素を使用する場合はそれを充填できなければ、除菌装置の使用期間が短いものとなってしまう。
【０００７】
本発明は、このような事情に鑑みてなされたもので、従来の二酸化塩素製品の欠点である使用期間を長くして、その二酸化塩素による強力な殺菌力を利用することができるようにした除菌装置用薬品容器、除菌装置及び歯ブラシ除菌装置を提供することを目的とする。
【課題を解決するための手段】
【０００８】
第一の発明は、水を封入可能な除菌装置本体の所定位置に取り付けられ、錠剤又は紛体状の二酸化塩素を封入可能な除菌装置用薬品容器であって、前記除菌装置本体に取り付けられたときに該除菌装置本体内に位置する先端部と該除菌装置本体外に位置する基端部との中間部に二酸化塩素を封入可能なシリンダと、前記シリンダの先端部に着脱自在に取り付けられるキャップと、前記シリンダの基端部から挿入され、該挿入動作により前記キャップを二酸化塩素とともに前記除菌装置本体内に押し出し可能なピストンとを備えたことを特徴とするものである。
【０００９】
本第一の発明の除菌装置用薬品容器によれば、前記除菌装置本体に取り付けられたときに該除菌装置本体内に位置する先端部と該除菌装置本体外に位置する基端部との中間部に二酸化塩素を封入可能なシリンダと、前記シリンダの先端部に着脱自在に取り付けられるキャップと、前記シリンダの基端部から挿入され、該挿入動作により前記キャップを二酸化塩素とともに前記除菌装置本体内に押し出し可能なピストンとを備えたので、前記除菌装置用役人容器のシリンダ内に封入された二酸化塩素が、前記除菌装置本体内に封入された水の中に投入されることにより、二酸化塩素が水に溶かされた状態で使用されるようになる。
【００１０】
これにより、使用前に二酸化塩素が吸湿して使用期間が短くなるのを防止するとともに、使用時に二酸化塩素を水に溶かして所定濃度に調整することにより、従来の二酸化塩素製品の欠点である使用期間を長くして、その二酸化塩素による強力な殺菌力を利用することができる。
【００１１】
そして、二酸化塩素をすべて使い切った後には、前記除菌装置本体から前記除菌装置用薬品容器を分離して、新たな除菌装置用薬品容器を前記除菌装置本体に取り付けるか、或いは、該分離した除菌装置用薬品容器のシリンダ内に二酸化塩素を充填した上で、前記除菌装置本体に前記除菌装置用薬品容器を再度取り付けることにより、除菌装置を繰り返し使用できるようになる。
【００１２】
また、前記キャップが前記除菌装置本体内に押し出された状態であっても、該キャップの少なくとも一部を前記シリンダに連結したままとする連結部を備えることが好ましい。
【００１３】
この場合、前記キャップが前記除菌装置本体内に押し出された状態であっても、該キャップの少なくとも一部を前記シリンダに連結したままとする連結部を備えたので、キャップを回収しやすくなる。
【００１４】
また、前記ピストンが前記シリンダの基端部から挿入される動作を規制するストッパを備えることが好ましい。
【００１５】
この場合、前記ピストンが前記シリンダの基端部から挿入される動作を規制するストッパを備えたので、誤操作を防止できる。
【００１６】
第二の発明は、前記請求項１〜３のいずれか１項に記載の除菌装置本体として、前記二酸化塩素の水溶液を噴霧するスプレーノズルを備えたスプレー本体で構成し、前記除菌装置用薬品容器を該スプレー本体の上面に着脱自在に取り付けたことを特徴とする除菌装置に係るものである。
【００１７】
本第二の発明の除菌装置によれば、前記請求項１〜３のいずれか１項に記載の除菌装置本体として、前記二酸化塩素の水溶液を噴霧するスプレーノズルを備えたスプレー本体で構成し、前記除菌装置用薬品容器を該スプレー本体の上面に着脱自在に取り付けたので、前記第一の発明と同様の作用効果を奏することができる。
【００１８】
第三の発明は、前記請求項４記載のスプレー本体に歯ブラシを立てかける歯ブラシ立てを備え、この歯ブラシ立てに立てかけた歯ブラシのブラシ部分に、前記スプレーノズルから噴霧された二酸化塩素の水溶液がかかるように構成したことを特徴とする歯ブラシ除菌装置に係るものである。
【００１９】
本第三の発明の歯ブラシ除菌装置によれば、前記請求項４記載のスプレー本体に歯ブラシを立てかける歯ブラシ立てを備え、この歯ブラシ立てに立てかけた歯ブラシのブラシ部分に、前記スプレーノズルから噴霧された二酸化塩素の水溶液がかかるように構成したので、前記第一、第二の発明と同様の作用効果を奏することができる。
【００２０】
また、前記歯ブラシ立てが前記スプレー本体に収脱自在となるように、前記歯ブラシ立ての前記スプレー本体に対する取り付け角度を可変とすることが好ましい。
【００２１】
この場合、前記歯ブラシ立てが前記スプレー本体に収脱自在となるように、前記歯ブラシ立ての前記スプレー本体に対する取り付け角度を可変としたので、装置の保管スペースが少なくて済み、また同装置の持ち運び等に便利である。
【発明の効果】
【００２２】
本第一の発明の除菌装置用薬品容器によれば、前記除菌装置本体に取り付けられたときに該除菌装置本体内に位置する先端部と該除菌装置本体外に位置する基端部との中間部に二酸化塩素を封入可能なシリンダと、前記シリンダの先端部に着脱自在に取り付けられるキャップと、前記シリンダの基端部から挿入され、該挿入動作により前記キャップを二酸化塩素とともに前記除菌装置本体内に押し出し可能なピストンとを備えたので、前記除菌装置用役人容器のシリンダ内に封入された二酸化塩素が、前記除菌装置本体内に封入された水の中に投入されることにより、二酸化塩素が水に溶かされた状態で使用されるようになる。
【００２３】
これにより、使用前に二酸化塩素が吸湿して使用期間が短くなるのを防止するとともに、使用時に二酸化塩素を水に溶かして所定濃度に調整することにより、従来の二酸化塩素製品の欠点である使用期間を長くして、その二酸化塩素による強力な殺菌力を利用することができる。
【００２４】
そして、二酸化塩素をすべて使い切った後には、前記除菌装置本体から前記除菌装置用薬品容器を分離して、新たな除菌装置用薬品容器を前記除菌装置本体に取り付けるか、或いは、該分離した除菌装置用薬品容器のシリンダ内に二酸化塩素を充填した上で、前記除菌装置本体に前記除菌装置用薬品容器を再度取り付けることにより、除菌装置を繰り返し使用できるようになる。
【００２５】
本第二の発明の除菌装置によれば、前記請求項１〜３のいずれか１項に記載の除菌装置本体として、前記二酸化塩素の水溶液を噴霧するスプレーノズルを備えたスプレー本体で構成し、前記除菌装置用薬品容器を該スプレー本体の上面に着脱自在に取り付けたので、前記第一の発明と同様の作用効果を奏することができる。
【００２６】
本第三の発明の歯ブラシ除菌装置によれば、前記請求項４記載のスプレー本体に歯ブラシを立てかける歯ブラシ立てを備え、この歯ブラシ立てに立てかけた歯ブラシのブラシ部分に、前記スプレーノズルから噴霧された二酸化塩素の水溶液がかかるように構成したので、前記第一、第二の発明と同様の作用効果を奏することができる。
【図面の簡単な説明】
【００２７】
【図１】本発明の一実施形態に係る歯ブラシ除菌装置の全体構成を示す側面図である。
【図２】スプレー本体の構成を示す説明図であって、（ａ）は（ｂ）におけるＸ−Ｘ断面図、（ｂ）は側面図である。
【図３】除菌装置用薬品容器の詳細を示す説明図であって、（ａ）は（ｂ）におけるＹ−Ｙ断面図、（ｂ）は二酸化塩素を水に投入する前の状態を示す側面図、（ｃ）は（ｂ）におけるＺ−Ｚ断面図、（ｄ）二酸化塩素を水に投入する直前の状態を示す側面図、（ｅ）は二酸化塩素を水に投入した後の状態を示す側面図である。
【図４】歯ブラシ立ての構成を示す説明図であって、（ａ）は平面図、（ｂ）は側面図である。
【発明を実施するための形態】
【００２８】
図１は本発明の一実施形態に係る歯ブラシ除菌装置１の全体構成を示す側面図である。図１に示すように、この歯ブラシ除菌装置１は、主として合成樹脂材料からなっており、二酸化塩素を発生させるスプレー本体２と、二酸化塩素による除菌対象となる歯ブラシ８とを備えている。歯ブラシ８は市販のものを使用すればよい。
【００２９】
図２はスプレー本体２の構成を示す説明図であって、（ａ）は（ｂ）におけるＸ−Ｘ断面図、（ｂ）は側面図である。図２（ａ）（ｂ）に示すように、このスプレー本体（除菌装置本体に相当する。）２は、上面側の開口部２２，２２ａを有し、内部に水Ｗを収納するボトル２１と、前記開口部２２に着脱自在に取り付けられるスプレーノズル６と、このスプレーノズル６からの噴霧を操作するためのレバー７と、前記ボトル２１内部で、上端が前記スプレーノズル６に取り付けられ、下端が前記ボトル２１の底面側に配置されるチューブ５と、前記ボトル２１の側壁に凹設された縦溝部２３に収脱自在に設けられた歯ブラシ立て４とを備えている。開口部２２ａには、除菌装置用薬品容器３が着脱自在に取り付けられるようになっている。
【００３０】
図３は除菌装置用薬品容器３の詳細を示す説明図であって、（ａ）は（ｂ）におけるＹ−Ｙ断面図、（ｂ）は二酸化塩素を水に投入する前の状態を示す側面図、（ｃ）は（ｂ）におけるＺ−Ｚ断面図、（ｄ）二酸化塩素を水に投入する直前の状態を示す側面図、（ｅ）は二酸化塩素を水に投入した後の状態を示す側面図である。図３（ａ）〜（ｅ）に示すように、この除菌装置用薬品容器３は、円筒状のシリンダ３１と、前記シリンダ３１の先端部に着脱自在に取り付けられるキャップ３４と、前記シリンダ３１の基端部から挿入され、該挿入動作により前記キャップ３４を二酸化塩素とともに前記ボトル２１内に押し出すことができるピストン３３とを備えている。
【００３１】
ピストン３３のヘッド３２は、例えば押圧しやすいように拡径されており、その下方にストッパ３９が着脱自在に取り付けられている。ストッパ３９は、把持部３９１と、この把持部３９１の先端に固定され、一部を切欠いた円環部３９２とからなっており、この切欠部３９３をピストン３３に押し付けることで、その切欠部３９３を拡開して、そこからピストン３３を挟み込むことにより、ピストン３３の動作を規制するものである。これにより、ピストン３３のヘッド３２を間違って押圧したとしても、ピストン３３が動作しないようになっている。
【００３２】
シリンダ３１は、ボトル２１の上面側の開口部２２ａに対応する取付部３８を備えており、この取付部３８を開口部２２ａに螺合することにより、着脱自在となっているが、歯ブラシ除菌装置１の使用前（初期状態）では、ピストン３３は、シリンダ３１の基端部から上方に突出された状態であり、そのシリンダ３１の中間部に、錠剤又は粉末状の二酸化塩素Ｍが封入されたものとなっている。
【００３３】
ここで、二酸化塩素Ｍとして、米国ＢＡＳＦ社製のセルトーレＧ（登録商標）を使用したいのであるが、このセルトーレＧは、もともと温泉施設などで殺菌剤として使用されている錠剤（タブレット）であり、たとえば１セット１２錠で１トンもの大量の水に投入するものとされている。しかも、セルトーレＧの錠剤は、所定の袋内に密封されており、使用時に袋をカットして取り出ようになっている。
【００３４】
しかし、セルトーレＧの錠剤を、ボトル２１に入れて使用する場合には、そのような大量の水に投入するものではなく、しかも使用濃度が数ｐｐｍ程度といった非常に低い濃度で足りるので、錠剤単位で購入したのであれば、使用しない錠剤が大量に残ってしまう。そして、改めて使用しようとしても、そのときには空気中で吸湿して使用できなくなっていることが多い。
【００３５】
このため、本発明者は、セルトーレＧの錠剤を袋から取り出して破砕することにより粉末状にし、それを前記除菌装置用薬品容器３内に必要量だけ封入することで、空気中で吸湿して使用期間が非常に短くならないようにした。なお、不活性ガスを同時に封入しておけば、さらに使用期間を長くすることができる。
【００３６】
そして、歯ブラシ除菌装置１の最初の使用時に、除菌装置用薬品容器３の上端にあるヘッド３２を使用者が押圧してピストン３３が押し下げられる動作に連動して、前記ピストン３３がシリンダ３１内で下がってきて、シリンダ３１内の粉末状の二酸化塩素Ｍをキャップ３４とともに押し出すことにより、ボトル２１内の水Ｗの中に投入するようになっている。ただし、キャップ３４はスリング（連結部に相当する。）３５で連結されているので、ボトル２１内の上方に吊りさげられた状態となる。これにより、ボトル２１内に押し出されたキャップ３４を回収しやすいようになっている。
【００３７】
図４は歯ブラシ立ての構成を示す説明図であって、（ａ）は平面図、（ｂ）は側面図である。図４（ａ）（ｂ）に示すように、この歯ブラシ立て４の本体４１は、概ね縦長の角筒状であって、下端の丸みを帯びた部分に設けられた回転軸２４が、前記縦溝部２３の底部付近に設けられた長穴２５に嵌合している。したがって、歯ブラシ立て４は、この回転軸２４を中心として回動自在となっているのであるが、歯ブラシ８を立てていないときには、歯ブラシ立て４は、縦溝部２３内に完全に収容されており（図中の符号４ａで示す）、ロックがかかって、縦溝部２３から勝手に脱出しないようになっているものとする。
【００３８】
そして、歯ブラシ８を立てるときには、歯ブラシ立て４は、使用者がその上端に設けられた把持部４２を把持して若干持ち上げることにより前記ロックを外してから（図中の符号４ｂで示す）、同図中の時計まわりに角度θだけ回転させると、符号４ｃで示すような傾斜状態となって上端が縦溝部２３から脱出したようになる。
【００３９】
そのようなロックとしては、上述のように、縦溝部２３の左右に設けた長穴２５に、歯ブラシ立て４の左右から突出させた回転軸２４を挿通するとともに、縦溝部２３の下端付近に局部的に設けた塞ぎ板２６を設けておけばよい。すなわち、長穴２５の下方に回転軸２４があるときは、この塞ぎ板２６が邪魔をして、歯ブラシ立て４は傾斜しない。一方、長穴２５の上方に回転軸２４がくると、歯ブラシ立て４は傾斜するようになる。ただし、前記傾斜角度θを超えて、歯ブラシ立て４が倒伏してしまわないように、ストッパを適宜設けている。そのようなストッパとしては、前記塞ぎ板２６の上端に、前記傾斜状態の歯ブラシ立て４の下部が当接するようにしておけばよい。
【００４０】
以下、本歯ブラシ除菌装置１の使用方法について説明する。
【００４１】
本歯ブラシ除菌装置１は、ボトル２１の上面側に除菌装置用薬品容器３を有しているが、使用前（初期状態）では、除菌装置用薬品容器３のピストン３３はシリンダ３１の基端部より突出してそのヘッド３２下にストッパ３９が装着された状態であり、シリンダ３１内部に、錠剤又は粉末状の二酸化塩素Ｍが封入されたものとなっている。
【００４２】
使用者は、ヘッド３２下のストッパ３９の把持部３９１を把持して引っ張ることで、円環部３９１の切欠部３９３を拡開してピストン３３から外し、その上でピストン３３のヘッド３２を押圧する。この動作に連動して、前記ピストン３３を押し下げることにより、シリンダ３１内の二酸化塩素Ｍをキャップ３４とともに押し出す。ただし、キャップ３４はスリング３５でシリンダ３１に連結しているので、ボトル内に吊りさがった状態となり、二酸化塩素Ｍだけがボトル２１内の水Ｗの中に投入される。この二酸化塩素Ｍはあらかじめ粉末状としているか、錠剤のままであるかにかかわらず、ほとんど瞬時に溶解して使用可能な状態となる。ただし、この二酸化塩素Ｍは仮に錠剤であったとしても、それが常温の水Ｗに投入されると、ボトル２１を搖動すれば短時間で溶解して使用可能な状態となる。
【００４３】
このときは、歯ブラシ立て４の本体４１は、図４（ａ）（ｂ）中の符号４ａで示すように、縦溝部２３内に完全に収容されており、前記ロックがかかって、縦溝部２３から勝手に脱出しないようになっている。したがって、図４（ａ）（ｂ）中の符号４ｂで示すように、歯ブラシ立て４の上端の把持部４２を把持して若干持ち上げることにより前記ロックを外してから、同図中の時計まわりに角度θだけ回転させると、図４（ａ）（ｂ）中の符号４ｃで示すような傾斜状態となって上端が縦溝部２３から脱出したようになる。
【００４４】
この傾斜状態の歯ブラシ立て４の本体４１内に、使用済みの歯ブラシ８の柄部分を挿入すると、そのブラシ部分がスプレーノズル６の正面にくるので、スプレー本体２のレバー７を操作する。すると、スプレーノズル６から噴霧がなされ、その噴霧が歯ブラシ８のブラシ部分にかかって、除菌を行うことができる。
【００４５】
そして、除菌を終えた歯ブラシ８は、そのまま本装置１の歯ブラシ立て４に立てたまま保管しておくが、歯ブラシ８を立てていないときは、歯ブラシ立て４を上記と逆手順でスプレー本体２の縦溝部２３に収納しておけば、その保管スペースが少なくて済み、また同装置１の持ち運び等に便利である。なお、図示はしていないが、歯ブラシ立て４は、スプレー本体２のボトル２１から取り外して適宜タイミングで洗浄しておくことができるようになっているので、衛生的である。
【００４６】
以上説明したように、本実施形態の歯ブラシ除菌装置１によれば、水Ｗを封入可能なスプレー本体２のボトル２１と、該ボトル２１の所定位置に着脱自在に取り付けられ、錠剤又は紛体状の二酸化塩素Ｍを封入可能な除菌装置用薬品容器３とを備え、前記除菌装置用薬品容器３は、前記ボトル２１に取り付けられたときに、そのボトル２１内に位置する先端部と、そのボトル２１外に位置する基端部との中間部に二酸化塩素Ｍを封入可能なシリンダ３１と、前記シリンダ３１の先端部に着脱自在に取り付けられるキャップ３４と、前記シリンダ３１の基端部から挿入され、該挿入動作により前記キャップ３４を二酸化塩素Ｍとともに前記ボトル２１内に押し出し可能なピストン３３とを備えたので、前記除菌装置用薬品容器３内に封入された二酸化塩素Ｍが、前記ボトル３１内に封入された水Ｗの中に投入されることにより、二酸化塩素Ｍが水Ｗに溶かされた状態で使用されるようになる。
【００４７】
この際、本発明の除菌装置用薬品容器３のように、シリンダ３１とピストン３３とキャップ３４とを備えた場合は、特に気密性を確保しやすく、ピストン３３のヘッド３２が押圧されると、シリンダ３１内に二酸化塩素Ｍとともに封入された空気（あるいは不活性ガス）が圧縮され、その圧力でもってキャップ３４が二酸化塩素Ｍとともに、ボトル２１内に吹き飛ばされる。そして、「ポン」という破裂音とともに、シリンダ３１内の二酸化塩素Ｍがボトル２１内の水Ｗの中に勢いよく投入されるので、シリンダ３１内には二酸化塩素Ｍがほとんど残らない。
【００４８】
これにより、使用前に二酸化塩素Ｍが吸湿して使用期間が短くなるのを防止するとともに、使用時に二酸化塩素Ｍを水Ｗに溶かして所定濃度に調整することにより、従来の二酸化塩素製品の欠点である使用期間を長くして、その二酸化塩素Ｍによる強力な殺菌力を利用することができる。また、二酸化塩素Ｍは高価であり、その二酸化塩素Ｍを無駄なく利用することができて、経済的である。
【００４９】
そして、二酸化塩素Ｍをすべて使い切った後には、前記ボトル２１から前記除菌装置用薬品容器３を分離して、新たな除菌装置用容器３を取り付ける。或いは、該分離した除菌装置用薬品容器３のシリンダ３１内に二酸化塩素Ｍを充填し、キャップ３４を取り付けるのであるが、そのキャップ３４は、前記シリンダ３１から二酸化塩素Ｍとともに押し出されたときにもスリング３５でシリンダ３１に連結されているので、回収しやすい。しかる後、前記ボトル２１に前記除菌装置用薬品容器３のシリンダ３１を再度取り付けて、歯ブラシ除菌装置１を繰り返し使用できるようになり、さらに経済的なものとなる。
【００５０】
なお、上記実施形態では、誤操作を防止するために、除菌装置用薬品容器３のヘッド３２の下面にストッパ３９を着脱自在に備えているが、除菌装置用薬品容器３を覆うようなカバーを装着しておけば、より確実に誤操作を防止できる。さらに、ボトル２１に凹部を設けておき、除菌装置用薬品容器３のシリンダ３１をその凹部内に没入することにより、そのピストン３３のヘッド３２の上面をボトル２１の上端すれすれの位置にくるようにしておけば、さらに確実に誤操作を防止できる。
【００５１】
また、上記実施形態では、除菌装置用薬品容器３をスプレー本体２のボトル２１上に直立させて取り付けているが、スプレーノズル６やレバー７の邪魔にならないように、若干傾斜させて取り付けることもできる。すなわち、除菌装置用薬品容器３はボトル２１の任意の部位に任意の姿勢で任意の数だけ取り付けることができる。
【００５２】
また、上記実施形態では、除菌装置用薬品容器３をボトル２１の開口部２２とは別個に設けた開口部２２ａに着脱自在に取り付けているが、除菌装置用薬品容器３をボトル２１の開口部２２に着脱自在に取り付けておき、使用後に取り外しておくこともできる。このようにすれば、ボトルの開口部は１つで済むことになり、その応用範囲が格段に広がる。また、除菌装置用薬品容器３のボトル２１への取り付け方法は、なんでもよく前述した取付部３８のような螺合に限定されない。また、除菌装置用薬品容器３を新たなものと交換することがなく、繰り返し使用することもない場合は、一回取り付けると取り外しが不可能なものであってもよい。
【００５３】
また、上記実施形態では、除菌装置用薬品容器３のシリンダ３１内に二酸化塩素の錠剤を破砕して粉末状にしたものを封入したが、錠剤の大きさによっては、そのまま封入することもできる。このことは、ボトル２１の容量が大きいと、そこに封入される水量も多くなり、これに対応して除菌装置用薬品容器３に封入される二酸化塩素の量も多くなるから、その二酸化塩素は錠剤のまま使用できることを意味する。本発明者は、ボトル２１として、１リットル容器を利用する場合に、錠剤の二酸化塩素をそのまま使用できることを確認した。
【００５４】
また、上記実施形態では、スプレー本体２を用いた歯ブラシ除菌装置１を例示したが、このスプレー本体２や除菌装置用薬品容器３は、それぞれ単独で除菌の必要とされるあらゆる分野に適用できる。例えば、スプレー本体２は、ハンドクリーン用のスプレーとして適用できる。また、二酸化塩素を、消臭・インフルエンザウイルス・花粉対策などに使用をする場合には、除菌装置用薬品容器３を、水を封入した容器の蓋に取り付けておけばよく、このような場合はスプレーを必ずしも必要としない。
【符号の説明】
【００５５】
１  歯ブラシ除菌装置
２  スプレー本体（除菌装置本体に相当する。）
２１  ボトル
２２，２２ａ  開口部
２３  縦溝部
２４  回転軸（ロックとして機能する。）
２５  長穴（ロックとして機能する。）
２６  塞ぎ板（ロック、ストッパとして機能する。）
３  除菌装置用薬品容器
３１  シリンダ
３２  ヘッド
３３  ピストン
３４  キャップ
３５  スリング（連結部）
３８  取付部
３９  ストッパ
３９１  把持部
３９２  円環部
３９３  切欠部
４，４ａ〜４ｃ  歯ブラシ立て
４１  本体
４２  把持部
５  チューブ
６  スプレーノズル
７  レバー
８  歯ブラシ
Ｗ  水
Ｍ  二酸化塩素
【先行技術文献】
【特許文献】
【００５６】
【特許文献１】特開２００５−３１２４８８号公報
【図１】
2014100202.tif 000003
【図２】
2014100202.tif 000004
【図３】
2014100202.tif 000005
【図４】
2014100202.tif 000006